(57)【要約】【課題】高周波域の騒音対策を安価に実現する内部構成を有した電気掃除機を提供する。【解決手段】塵埃を捕集する集塵室５と、電動送風機室６と、前記電動送風機室６に収容されると共に、吸引風を発する電動送風機７の排気側を覆うケース体８を有し、前記ケース体８は、前記電動送風機７を左右から囲うように保持する第１ケース（図示せず）と第２ケース（図示せず）から成り、前記第１ケースと前記第２ケースの内側に、前記電動送風機７に対して上方と後方に、上方第１の壁１６、後方第１の壁１７を設けたもので、電動送風機７に対して上方と後方に高周波域の騒音を抑えるための複数の壁を設けるにあたって、第１ケースと第２ケース内部にリブで上方第１の壁１６、後方第１の壁１７を形成するだけで防音壁とすることができ、安価に組立容易な構成を持ち合わせながら高周波域の騒音に対する対策を講じることができる。【選択図】図２
2011250973.tif 000002
【特許請求の範囲】
【請求項１】
塵埃を捕集する集塵室と、電動送風機室と、前記電動送風機室に収容されると共に、吸引風を発する電動送風機の排気側を覆うケース体を有し、前記ケース体は、前記電動送風機を左右から囲うように保持する第１ケースと第２ケースから成り、前記第１ケースと前記第２ケースの内側に、前記電動送風機に対して上方と後方のそれぞれに少なくとも１つの壁体を設けた電気掃除機。
【請求項２】
電動送風機の上方及び／又は後方に位置すると共に、壁体によって仕切られて形成された空間に、防音材を備えた請求項１に記載の電気掃除機。
【請求項３】
電動送風機の上方又は後方に位置すると共に、壁体によって仕切られて形成された空間に、前記電動送風機の動作を制御する電気部品を備えた請求項１または２に記載の電気掃除機。
【発明の詳細な説明】
【技術分野】
【０００１】
本発明は、電気掃除機に関するもので、特に、騒音対策を講じた電気掃除機に関するものである。
【背景技術】
【０００２】
従来、この種の電気掃除機においては、電動送風機を収納する電動送風機室を備えた掃除機本体内に、電動送風機からの排気流の方向を変化させる障壁を設けて、排気通路の長さを長く確保することで、電動送風機から発生した騒音が、排気通路を通り器外へ放出される間に音のエネルギーを吸収する騒音対策を講じていた（例えば、特許文献１参照）。
【先行技術文献】
【特許文献】
【０００３】
【特許文献１】特開平４−９６７２１号公報
【発明の概要】
【発明が解決しようとする課題】
【０００４】
しかしながら、前記従来の電気掃除機の構成では、電動送風機から発生した騒音の中で排気通路を通って器外へ放出される音域の騒音にしか効果がなく、人の耳にとって耳障りな高周波域の騒音については、音源となっている電動送風機から放射状に発せられた音が、外郭と内側に設置された障壁の２枚の壁だけを透過して器外へ放出される。この高周波域の騒音を抑えるためには、電動送風機と外郭との間に、壁や防音材を何重にも配設することが有効であるが、部品点数が多くなったり、その部品間の隙間から騒音が漏れないように配慮する必要があるため、大きなコストアップに繋がる、という課題があった。
【０００５】
本発明は、前記従来の課題を解決するもので、高周波域の騒音に対する対策を安価に実現する内部構成を有した電気掃除機を提供することを目的とする。
【課題を解決するための手段】
【０００６】
前記従来の課題を解決するために、本発明の電気掃除機は、塵埃を捕集する集塵室と、電動送風機室と、前記電動送風機室に収容されると共に、吸引風を発する電動送風機の排気側を覆うケース体を有し、前記ケース体は、前記電動送風機を左右から囲うように保持する第１ケースと第２ケースから成り、前記第１ケースと前記第２ケースの内側に、前記電動送風機に対して上方と後方のそれぞれに少なくとも１つの壁体を設けたもので、電動送風機に対して上方と後方に高周波域の騒音を抑えるための複数の壁を設けるにあたって、第１ケースと第２ケース内部にリブで壁体を形成するだけで防音壁とすることができ、安価に組立容易な構成を持ち合わせながら高周波域の騒音に対する対策を講じることができる。
【発明の効果】
【０００７】
本発明の電気掃除機は、高周波域の騒音に対する対策を安価に実現する内部構成を有した電気掃除機を提供することができる。
【図面の簡単な説明】
【０００８】
【図１】本発明の実施の形態１における電気掃除機の全体斜視図
【図２】同電気掃除機の中央断面図
【図３】同電気掃除機のケース体の斜視図
【図４】同ケース体の部品展開図
【図５】同ケース体の中央断面図
【図６】本発明の実施の形態２における電気掃除機のケース体の中央断面図
【発明を実施するための形態】
【０００９】
第１の発明は、塵埃を捕集する集塵室と、電動送風機室と、前記電動送風機室に収容されると共に、吸引風を発する電動送風機の排気側を覆うケース体を有し、前記ケース体は、前記電動送風機を左右から囲うように保持する第１ケースと第２ケースから成り、前記第１ケースと前記第２ケースの内側に、前記電動送風機に対して上方と後方のそれぞれに少なくとも１つの壁体を設けたもので、電動送風機に対して上方と後方に高周波域の騒音を抑えるための複数の壁を設けるにあたって、第１ケースと第２ケース内部にリブで壁体を形成するだけで防音壁とすることができ、安価に組立容易な構成を持ち合わせながら高周波域の騒音に対する対策を講じることができる。
【００１０】
第２の発明は、特に、第１の発明の電動送風機の上方及び／又は後方に位置すると共に、壁体によって仕切られて形成された空間に、防音材を備えたもので、第１の発明による騒音対策の効果を、防音材との相乗効果によりさらに高めることができる。
【００１１】
第３の発明は、特に、第１または第２の発明の電動送風機の上方又は後方に位置すると共に、壁体によって仕切られて形成された空間に、前記電動送風機の動作を制御する電気部品を備えたもので、壁体で形成された空間を有効活用して掃除機本体の小型化を実現させながら騒音対策を実現することができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気掃除機の全体斜視図、図２は、同電気掃除機の中央断面図、図３は、同電気掃除機のケース体の斜視図、図４は、同ケース体の部品展開図、図５は、同ケース体の中央断面図である。
【００１４】
図１、２において、本実施の形態における電気掃除機の掃除機本体１の外郭は、下カバー２と上カバー３から成るカバー体４にて構成されている。掃除機本体１の内部は、前方に集塵室５、後方に電動送風機室６を形成しており、電動送風機室６には、電動送風機７を内蔵するケース体８が収容されている。掃除機本体１の上方には、電動送風機７によって発せられた排気を器外に排出するための主排気口９が設けられている。
【００１５】
掃除機本体１に設けられ、集塵室５と連通する吸気口３０には、ホース３１の一端に設けた接続パイプ３２が着脱自在に接続され、ホース３１の他端は、延長管３３を介して、床面の塵埃を吸引する床ノズル３４に接続される。
【００１６】
図３〜５において、電動送風機７は、前サポーター１０と後サポーター１１を介し、第１ケース１２と第２ケース１３で左右からそれらの内側に電動送風機７の排気側１４を挟み込むように保持されて、ケース体８を形成している。ケース体８は、上面に排気部１５を構成し、その他の排気穴は設けていない。
【００１７】
第１ケース１２と第２ケース１３の内側には、電動送風機７に対して上方に上方第１の壁１６が、後方に後方第１の壁１７と後方第２の壁１８が形成されている。上方第１の壁１６とケース体８の外郭とで形成された空間には、防音材１９が設置されている。後方第１の壁１７と後方第２の壁１８とで形成された空間には、電動送風機７の動作を制御するための電子部品２０を有するプリント基板２１が収容されている。
【００１８】
以上のように構成された本実施の形態における電気掃除機について、以下その動作、作用を説明する。
【００１９】
まず、電気掃除機を運転したとき、床ノズル３４を通して、空気と共に吸引された塵埃は、集塵室５にて捕集され、きれいになった空気だけが、電動送風機７の排気側１４から排気される。電動送風機７の排気は、図５の矢印で示すように、まず電動送風機７の下側に排出され、後方第２の壁１８とケース体８の外郭との間、そして排気部１５を通過し、カバー体４の主排気口９より器外へ排出される。
【００２０】
このように、電動送風機７から主排気口９まで排気の通路の長さを長く確保することで、排気風に乗って器外へ放出される音のエネルギーを減衰させることができる。
【００２１】
しかしながら、人の耳にとって耳障りとなる高周波域の騒音については、音源となっている電動送風機７から放射状に抜けて器外へ放出されてしまう。一般的には、掃除機本体１の側面には、走行用のローラー２２を備えるとともに、電動送風機７と並行に電源コード（図示せず）を収納するコードリール（図示せず）が備えらえていることから、掃除機本体１の横方向に抜ける騒音よりも、掃除機本体１の上方向もしくは後ろ方向に抜ける騒音が大きい。
【００２２】
しかし、本実施の形態によれば、電動送風機７の上方向に、上方第１の壁１６、ケース体８の外郭、カバー体４の外郭の３つの壁が形成されており、高周波域の騒音が上方向に抜けるのを防止できる。また、掃除機本体１の後ろ方向には、後方第１の壁１７、後方第２の壁１８、ケース体８の外郭、カバー体４の外郭の４つの壁が形成されており、高周波域の騒音が後ろ方向に抜けるのを防止できる。
【００２３】
このように、本実施の形態によれば、高周波域の騒音に対する騒音対策の効果を有している。
【００２４】
一般的に、本発明のように、電動送風機７の上方または後方に多くの壁を設けようとしたとき、部品点数が多くなったり、その部品間の隙間から騒音が漏れないように配慮が必要であったりするため、大きなコストアップに繋がるが、本実施の形態の構成によれば、高周波域の騒音対策を担っている、上方第１の壁１６、後方第１の壁１７、後方第２の壁１８は、第１ケース１２と第２ケース１３の内部に形成されたものであり、第１ケース１２と第２ケース１３の２部品のみで成り立っているとともに、部品間の隙間も比較的限られた範囲に収まっているため、隙間からの騒音漏れが少ない。
【００２５】
また、第１ケース１２と第２ケース１３は、左右から電動送風機７の排気側を挟み込んで保持するように部品分割されているため、第１ケース１２、第２ケース１３ともに、それらの金型の抜き方向と、上方第１の壁１６、後方第１の壁１７、後方第２の壁１８を形成する抜き方向が一致しており、アンダーカットが発生しないため、金型を複雑な構造とする必要がない。以上のことから、金型の投資においても、部品成形サイクルにおいても、組立工数においても、非常に安価に高周波域の騒音対策を実現する構成と言える。
【００２６】
また、樹脂の壁と防音材１９の壁では、防音効果を発揮する周波数域の違いがあることから、上方第１の壁１６とケース体８の外郭とで形成された空間に防音材１９を設置したことによって防音効果を高めている。
【００２７】
また、壁で囲われた空間に防音材１９を設置することで、防音材１９の固定が確実にできるため、組立も効率的に行うことができる。
【００２８】
さらに、後方第１の壁１７と後方第２の壁１８とで形成された空間に、電動送風機７の動作を制御する電子部品２０を有するプリント基板２１を収容したことによって、ケース体８内部に形成された空間を無駄なく利用でき、掃除機本体１の小型化が実現できるとともに、電動送風機７近傍にプリント基板２１を設置することとなるため、後方へ抜ける騒音はこのプリント基板２１をも透過せざるを得なくなり騒音対策としても一役を担うことになる。
【００２９】
（実施の形態２）
図６は、本発明の第２の実施の形態における電気掃除機のケース体の中央断面図を示すものである。なお、上記第１の実施の形態における電気掃除機と同一部分には、同一符号を付してその説明を省略する。
【００３０】
本実施の形態における電気掃除機は、図６に示すように、ケース体８の第１ケース１２と第２ケース１３の内側に、電動送風機７に対して上方に上方第１の壁１６に加えて、上方第２の壁２３、上方第３の壁２４を、また、後方に後方第１の壁１７と後方第２の壁１８に加えて、後方第３の壁２５、後方第４の壁２６をそれぞれ形成したもので、他の構成は、上記第１の実施の形態における電気掃除機と同一である。
【００３１】
本実施の形態によれば、前述の通り、第１ケース１２と第２ケース１３の内部に多くの壁を追加することによって、高周波域の騒音の透過を防ぐことができるため騒音対策として有効である。
【００３２】
また、上記実施の形態における第１ケース１２と第２ケース１３の構成によれば、図６のように防音壁を何重にも追加することが容易であり、高周波域の騒音に対する対策を組立容易な形で安価に実現することができる。
【産業上の利用可能性】
【００３３】
以上のように、本発明にかかる電気掃除機は、安価に組立容易な構成を持ち合わせながら高周波域の騒音に対する対策を講じることが可能となるので、家庭、業務用等の電気掃除機の用途に有用である。
【符号の説明】
【００３４】
５  集塵室
６  電動送風機室
７  電動送風機
８  ケース体
１２  第１ケース
１３  第２ケース
１４  排気側
１６  上方第１の壁（壁体）
１７  後方第１の壁（壁体）
１８  後方第２の壁（壁体）
２３  上方第２の壁（壁体）
２４  上方第３の壁（壁体）
２５  後方第３の壁（壁体）
２６  後方第４の壁（壁体）
【図１】
2011250973.tif 000003
【図２】
2011250973.tif 000004
【図３】
2011250973.tif 000005
【図４】
2011250973.tif 000006
【図５】
2011250973.tif 000007
【図６】
2011250973.tif 000008